(57)【要約】本発明はケーキ装飾用品の製造方法及びその物品に係り、熱伝導によって、隠された祝いメッセージを徐々に表出して、より派手な雰囲気の演出ができるようにしたものである。本発明は、台紙７７を具備する段階（Ｓ１００）と、感温変色フィルム８０を具備する段階（Ｓ２００）と、文字または絵を台紙７７に記載するか描く段階（Ｓ３００）と、台紙７７をメッセージ板４０の一面に付着させる段階（Ｓ４００）と、感温変色フィルム８０を台紙７７上に付着する段階（Ｓ５００）と、からなるケーキ装飾用品の製造方法を提供する。また、本発明は、原紙層７６及び接着剤層７２からなる台紙７７と、別の接着剤層８２、透明合成樹脂フィルム層８４、及び油性マイクロカプセルインク層８６からなる感温変色フィルム８０とを含んでなるケーキ装飾用品を提供する。【選択図】図１
2008500916.tif 000002
【特許請求の範囲】
【請求項１】
一列に互いに等間隔で離隔配置された、上面でキャンドルを支持する複数の燭台を上面に備えるベースと、前記ベースの下面に設けられた支持ピンと、前記燭台から離隔して前記ベースの上面に設けられたメッセージ板とを有するケーキ装飾用品を製造するための方法において、
前記メッセージ板と同一の形状に切り取られた複数枚の台紙を具備する段階と；
前記台紙と同一の形状及び大きさに切り取られた複数の感温変色フィルムを具備する段階と；
買い手の任意に応じて祝いメッセージの文字または絵を前記複数枚の台紙に記載して描く段階と；
１つの前記台紙を第１の保護紙から剥離し、前記メッセージ板の一面に付着させる段階と；
１つの前記感温変色フィルムを第２の保護紙から剥離し、前記メッセージ板の一面の台紙上に被せて付着する段階と；
を含むことを特徴とする、ケーキ装飾用品の製造方法。
【請求項２】
前記複数枚の台紙を具備する段階は、
水性または油性の筆記具、絵の具、蛍光色の筆記具で記載して描くことができ、彩色も可能である、コートされていない原紙の一面に接着剤をコートする段階と；
前記接着剤によって前記第１の保護紙を前記原紙に一時付着して、前記原紙を移送させる段階と；
前記接着剤によって前記第１の保護紙が一時付着された前記原紙を連続して移送させながら、前記メッセージ板と相応する形状に切り取って前記複数枚の台紙を具備するようにする段階と；
を含むことを特徴とする、請求項１に記載のケーキ装飾用品の製造方法。
【請求項３】
前記複数の感温変色フィルムを具備する段階は、
透明合成樹脂フィルムの一面に透明な接着剤をコートする段階と；
前記透明合成樹脂フィルムの一面のコーティング面に前記第２の保護紙を一時付着し、反転して移送させる段階と；
反転移送された状態で、前記透明合成樹脂フィルムの他面に油性マイクロカプセルインクを塗布積層する段階と；
前記第２の保護紙との一時付着が可能な前記接着剤がコートされ、前記油性マイクロカプセルインクが塗布積層された前記透明合成樹脂フィルムを連続して移送させながら、前記台紙と同一の形状及び大きさに切り取る段階と；
を含むことを特徴とする、請求項１に記載のケーキ装飾用品の製造方法。
【請求項４】
前記複数の感温変色フィルムを具備する段階は、
透明合成樹脂フィルムの一面に透明な接着剤をコートする段階と；
前記透明合成樹脂フィルムの一面のコーティング面に前記第２の保護紙を一時付着し、反転して移送させる段階と；
反転移送された状態で、前記透明合成樹脂フィルムの他面に水性マイクロカプセルインクを塗布積層する段階と；
前記透明合成樹脂フィルムの他面に積層された前記水性マイクロカプセルインクに透明樹脂を積層する段階と；
前記第２の保護紙との一時付着が可能な前記接着剤がコートされ、前記水性マイクロカプセルインク及び前記透明樹脂が塗布積層された前記透明合成樹脂フィルムを連続して移送させながら、前記台紙と同一の形状及び大きさに切り取る段階と；
を含むことを特徴とする、請求項１に記載のケーキ装飾用品の製造方法。
【請求項５】
前記台紙をメッセージ板の一面に付着させる段階は、他の前記台紙を前記メッセージ板の他面に付着させる段階を含むことを特徴とする、請求項１に記載のケーキ装飾用品の製造方法。
【請求項６】
前記感温変色フィルムを前記メッセージ板の一面の前記台紙に被せて付着する段階は、他の前記感温変色フィルムを前記メッセージ板の他面の前記他の台紙に被せて付着する段階を含むことを特徴とする、請求項１に記載のケーキ装飾用品の製造方法。
【請求項７】
一列に互いに等間隔で離隔配置された、上面でキャンドルを支持する複数の燭台を上面に備えるベースと、前記ベースの下面に設けられた支持ピンと、前記燭台から離隔して前記ベースの上面に設けられたメッセージ板とを有するケーキ装飾用品において、
原紙層と；
前記原紙層の第１の面にコートされる第１の接着剤層と；
前記原紙層と前記第１の接着剤層とを有する台紙の前記原紙層の第２の面に付着積層された第２の接着剤層と；
前記第２の接着剤層が一面に塗布積層され、前記原紙層に付着された透明合成樹脂フィルム層と；
前記透明合成樹脂フィルム層の他面に塗布積層された油性マイクロカプセルインク層と；
を備えることを特徴とする、ケーキ装飾用品。
【請求項８】
一列に互いに等間隔で離隔配置された、上面でキャンドルを支持する複数の燭台を上面に備えるベースと、前記ベースの下面に設けられた支持ピンと、前記燭台から離隔して前記ベースの上面に設けられたメッセージ板とを有するケーキ装飾用品において、
原紙層と；
前記原紙層の第１の面にコートされる第１の接着剤層と；
前記原紙層と前記第１の接着剤層とを有する台紙の前記原紙層の第２の面に付着積層された第２の接着剤層と；
前記第２の接着剤層が一面に塗布積層され、前記原紙層に付着された透明合成樹脂フィルム層と；
前記透明合成樹脂フィルム層の他面に塗布積層された水性マイクロカプセルインク層と；
前記水性マイクロカプセルインク層に塗布積層された透明樹脂層と；
を備えることを特徴とする、ケーキ装飾用品。
【発明の詳細な説明】
【技術分野】
【０００１】
本発明はケーキ装飾用品の製造方法及びその物品に係り、より詳しくは、熱転写される誕生日祝い文句、絵などによって誕生日、結婚式または記念日などの各種祝い行事でお祝いの雰囲気をよりドラマチックにかつ魅力的に演出するために使われるケーキ用装飾用品を製造するための方法及びケーキ装飾用品に関するものである。
【背景技術】
【０００２】
ケーキ（cake）は、小麦粉を主材料として、乳脂類・たまご・砂糖・牛乳・香料などを交ぜた生地をオーブンで焼いて作ったお菓子の一種で、生地及び料理法によって、スポンジケーキ、バターケーキ、シューケーキ（choux  dough  cake）、イーストケーキ（yeast  dough  cake）、ビスケットケーキなどに分類することができる。
【０００３】
一方、その種類に合う練り物を焼いて作ったケーキシートにコーティング及び絞り（sqeezing）装飾を行う。コーティング装飾とは、ケーキシートに色々の材料を塗るか覆うことをいい、絞り装飾とは、絞り袋を利用して多くの材料でケーキシート上に線または形状を作ることを言う。
【０００４】
このようなコーティング材料または絞り材料としては、チョコレート、クリーム、メレングゲ（meringue；たまごの卵白と砂糖を泡立てたもの）、マジパン（marzipan；アーモンド粉末とシロップを交ぜて作った練り物）などが用いられ、特にコーティングと絞りに使われる主要クリーム類としては、生クリームに砂糖を入れて泡立てたホイッピングクリーム（whipping  cream）、バターにたまご・砂糖を入れたバタークリーム、生クリームにチョコレートを交ぜたガナッシュ（ganache）、ウェディングケーキ装飾などに使われるガラスロイヤル（砂糖・たまご卵白・レモン汁・酒石酸を交ぜたもの）などが使われている。
【０００５】
さらに、普通は、コーティング及び絞りが施されたケーキシートの表面に、米から作ったライスシート（rice  paper）に食用インクで柄文字などを記載したもので、人体には全く無害なサイン板、または砂糖から作った花、ナッツなどのような装飾品を載せて最終のデコレーションを行う。
【０００６】
また、各種人形または誕生日キャンドルなどを突き刺してケーキを飾るとともに、特別なメッセージを伝達することができるようにすることもある。
【０００７】
すなわち、ウエディング人形をケーキシートに突き刺しておくか、誕生日の主人公の年齢を表すことができるキャンドルを突き刺しておくことで、結婚式または誕生日パーティーなどのイベント行事の雰囲気を高めることができるようにしたものである。
【０００８】
一般に、ケーキの購入時には、上記のようなキャンドルはもちろん、ナイフ、爆竹、カードなどが共に提供されるので、このような用品の使用によって結婚式、誕生日パーティーなどのような各種の行事で雰囲気を一層劇的で派手に演出することができることになる。
【０００９】
しかし、従来のケーキ用品は、祝い行事の雰囲気をより劇的で派手に演出するのに多くの制限があった。すなわち、従来、ケーキの購入時に一緒に提供されるキャンドルの形状や機能が単純であったため、より多様で派手な雰囲気演出ができなかった。従って、新しい装飾用品が、これを補う手段として要求された。
【００１０】
このような要求を満たすとともにイベントの特性に合わせて行事の雰囲気を高めるために、本出願人は、大韓民国特許庁特許公開公報第１０−２００４−００４０６３７号に開示されたケーキ用装飾用品を既に出願したことがある。
【００１１】
この出願に係るケーキ用装飾用品は、熱伝導によって、転写紙に隠されたお祝いメッセージが表示されるようにしたもので、ベースに加熱手段とディスプレイ手段を具備した構造になっている。
【００１２】
すなわち、ベースの底面から支持ピンを突出させて、ケーキ上に簡単かつ安定的にベースを設置することができるようにし、このようなベースの上面両側に加熱手段とディスプレイ手段が対応して結合されたものである。
【００１３】
上記ディスプレイ手段は、感温変色マイクロカプセルを利用した熱転写紙を有する構造になっていることから、加熱手段から伝達される熱に感応して、熱転写紙に予め印刷された内容が表出されるものであり、さらに加熱手段として具備されるキャンドルの明りが有する優雅さと神秘的な雰囲気を演出して、誕生日または結婚式の祝い行事の際に、雰囲気を一層美しく演出することができるようにするものである。
【００１４】
一方、本出願人は、大韓民国特許庁に出願番号第２００３−１７０３１号としてメッセージ表示機能のケーキ用装飾用品も既に出願している。
【００１５】
この出願に係るメッセージ表示機能のケーキ用装飾用品も、装飾板の底面に支持ピンを突出させて、この装飾板の上面両側に加熱手段とメッセージ板を対応して結合させ、メッセージ板に感温変色型の熱転写紙を付着させたものである。
【００１６】
このケーキ用装飾用品は、転写紙の製作時、感温変色マイクロカプセルインクを熱転写紙表面層に成層する前、誕生日祝い文句または結婚祝い文句を予め印刷することで、加熱手段から伝達される熱を感熱する作用によって、熱転写紙表面層が透明に変色され、この時、予め印刷された祝い文句が透視されて現われることにより、誕生日または結婚式などの行事の雰囲気を一層高めることになるものである。
【００１７】
ところが、本出願人によって既に出願された大韓民国特許公開番号第１０−２００４−００４０６３７号の「ケーキ用装飾用品」、及び大韓民国特許出願番号第２００３−１７０３１号の「メッセージ表示機能のケーキ用装飾用品」は、熱転写紙表面層の透明変色によって表出される祝いメッセージを買い手が直接記載することができなく、よって買い手それぞれの個別的な特別な内容の祝いメッセージを伝達することができない。また、究極には自分だけのケーキ装飾を要する近来の趨勢に対応することができないから、このような欠点を補う手段の講究が必要であった。
【発明の開示】
【発明が解決しようとする課題】
【００１８】
本発明の目的は、熱伝導によって、転写紙に隠された祝いメッセージが表示されるようにして、行事場所の雰囲気を一層高めるとともに、多様な形状と形状のベース、及び複数のキャンドルによって、より派手で多様な雰囲気を演出することができるようにすることである。
【００１９】
また、本発明の他の目的は、転写紙表面層の透明変色によって表出される祝いメッセージを買い手が直接記載することができるようにし、よって買い手の個別的な特別な祝いメッセージの表現ができるようにし、究極に自分だけのケーキ装飾を要する近来の趨勢に対応することができるようにすることである。
【課題を解決するための手段】
【００２０】
このような目的を達成するための発明は、一列に互いに等間隔で離隔配置された、上面でキャンドルを支持する複数の燭台を上面に備えるベースと、前記ベースの下面に設けられた支持ピンと、前記燭台から離隔して前記ベースの上面に設けられたメッセージ板とを有するケーキ装飾用品を製造するための方法において、メッセージ板と同一の形状に切り取られた複数枚の台紙を具備する段階と、台紙と同一の形状及び大きさに切り取られた複数の感温変色フィルムを具備する段階と、買い手の任意に応じて祝いメッセージの文字または絵を複数枚の台紙に記載して描く段階と、１つの台紙を第１の保護紙から剥離し、メッセージ板の一面に付着させる段階と、１つの感温変色フィルムを第２の保護紙から剥離し、メッセージ板の一面の台紙上に被せて付着する段階とを含むケーキ装飾用品の製造方法を提供する。
【００２１】
複数枚の台紙を具備する段階は、水性または油性の筆記具、絵の具、蛍光色の筆記具で記載して描くことができ、彩色も可能である、コートされていない原紙の一面に接着剤をコートする段階と、接着剤によって第１の保護紙を原紙に一時付着して、原紙を移送させる段階と、接着剤によって第１の保護紙が一時付着された原紙を連続して移送させながら、メッセージ板と相応する形状に切り取って複数枚の台紙を具備するようにする段階とを含んでもよい。
【００２２】
複数の感温変色フィルムを具備する段階は、透明合成樹脂フィルムの一面に透明な接着剤をコートする段階と、透明合成樹脂フィルムの一面のコーティング面に第２の保護紙を一時付着し、反転して移送させる段階と、反転移送された状態で、透明合成樹脂フィルムの他面に油性マイクロカプセルインクを塗布積層する段階と、第２の保護紙との一時付着が可能な接着剤がコートされ、油性マイクロカプセルインクが塗布積層された透明合成樹脂フィルムを連続して移送させながら、台紙と同一の形状及び大きさに切り取る段階と、を含んでもよい。
【００２３】
一方、複数の感温変色フィルムを具備する段階は、透明合成樹脂フィルムの一面に透明な接着剤をコートする段階と、透明合成樹脂フィルムの一面のコーティング面に第２の保護紙を一時付着し、反転して移送させる段階と、反転移送された状態で、透明合成樹脂フィルムの他面に水性マイクロカプセルインクを塗布積層する段階と、透明合成樹脂フィルムの他面に積層された水性マイクロカプセルインクに透明樹脂を積層する段階と、第２の保護紙との一時付着が可能な接着剤がコートされ、水性マイクロカプセルインク及び透明樹脂が塗布積層された透明合成樹脂フィルムを連続して移送させながら、台紙と同一の形状及び大きさに切り取る段階とを含んでもよい。
【００２４】
また、本発明は、台紙をメッセージ板の一面に付着させる段階は、他の台紙をメッセージ板の他面に付着させる段階を含んでもよい。
【００２５】
また、感温変色フィルムをメッセージ板の一面の台紙に被せて付着する段階は、他の感温変色フィルムをメッセージ板の他面の他の台紙に被せて付着する段階を含んでもよい。
【００２６】
また、本発明は、一列に互いに等間隔で離隔配置された、上面でキャンドルを支持する複数の燭台を上面に備えるベースと、前記ベースの下面に設けられた支持ピンと、前記燭台から離隔して前記ベースの上面に設けられたメッセージ板とを有するケーキ装飾用品において、原紙層と、原紙層の第１の面にコートされる第１の接着剤層と、原紙層と第１の接着剤層とを有する台紙の原紙層の第２の面に付着積層された第２の接着剤層と、第２の接着剤層が一面に塗布積層され、原紙層に付着された透明合成樹脂フィルム層と、透明合成樹脂フィルム層の他面に塗布積層された油性マイクロカプセルインク層とを備えるケーキ装飾用品を提供する。
【００２７】
また、本発明は、一列に互いに等間隔で離隔配置された、上面でキャンドルを支持する複数の燭台を上面に備えるベースと、前記ベースの下面に設けられた支持ピンと、前記燭台から離隔して前記ベースの上面に設けられたメッセージ板とを有するケーキ装飾用品において、原紙層と、原紙層の第１の面にコートされる第１の接着剤層と、原紙層と第１の接着剤層とを有する台紙の原紙層の第２の面に付着積層された第２の接着剤層と、第２の接着剤層が一面に塗布積層され、原紙層に付着された透明合成樹脂フィルム層と、透明合成樹脂フィルム層の他面に塗布積層された水性マイクロカプセルインク層と、水性マイクロカプセルインク層に塗布積層された透明樹脂層とを備えるケーキ装飾用品を提供する。
【発明の効果】
【００２８】
上記のように構成された本発明は、台紙に買い手の任意の祝いメッセージが記載されれば、その台紙をその保護紙から剥離してメッセージ板に付着し、感温変色フィルムを他の保護紙から剥離し、台紙に重畳して付着しておくことで、キャンドルの燃焼熱によって感温変色フィルムが透明に変色されることによって、買い手が予め任意に記載した内容が透視及び表出されるものである。
【発明を実施するための最良の形態】
【００２９】
以下、本発明の構成を添付図面（図１〜図１２）に基づいて詳細に説明すれば次のとおりである。
【００３０】
図１は本発明の構成を概略的に示すブロック図、図２は本発明の方法の台紙を具備する段階に対する詳細構成を示す部分工程図、図３は本発明の方法の感温変色フィルムを具備する段階に対する詳細構成を示す部分工程図、図４は本発明の方法の感温変色フィルムを具備する段階に対する他の詳細構成を示す部分工程図である。
【００３１】
図示のように、本発明は、複数枚の台紙７７を具備する段階（Ｓ１００）と、複数の感温変色フィルム８０を具備する段階（Ｓ２００）と、買い手の任意によって祝いメッセージの文字または絵を台紙７７に記載して描く段階（Ｓ３００）と、台紙７７をその保護紙７４から剥離し、メッセージ板４０の片面または両面に付着させる段階（Ｓ４００）と、感温変色フィルム８０を台紙７７上に被せて付着する段階（Ｓ５００）とからなるケーキ装飾用品の製造方法に関するものである。
【００３２】
すなわち、台紙７７を具備する段階（Ｓ１００）では、買い手が直接祝いメッセージ内容を記載することができ、一時接着または永久接着が可能に形成され、メッセージ板４０と同一の形状に切り取られた台紙７７を製造して具備することができることになる。
【００３３】
図２は台紙７７を具備する段階（Ｓ１００）についての詳細構成を示す部分工程図で、図示のように、本発明は、接着剤７２を原紙７６の一面にコートする段階（Ｓ１１０）と、保護紙７４を一時付着して移送させる段階（Ｓ１２０）と、接着剤７２のコートされた原紙７６と保護紙７４を互いに付着させた状態で連続して移送させながら、メッセージ板４０と相応する形状に切り取る段階（Ｓ１３０）とから構成された方法を提供することもできる。
【００３４】
すなわち、最初の段階（Ｓ１１０）で、水性または油性筆記具、絵の具、蛍光色の筆記具、絵の具で記載して描くことができ、彩色も可能である、コートされていない原紙７６の一側面に接着剤７２をコートする工程が行われ、第２段階（Ｓ１２０）で、原紙７６の接着剤７２面に保護紙７４を一時付着して移送させる工程が行われる。
【００３５】
また、次の段階（Ｓ１３０）では、接着剤７２面に保護紙７４を一時付着させた原紙７６を連続して移送させながら、メッセージ板４０と相応する形状に切り取る作業が行われることにより、複数枚の台紙７７が製造される。
【００３６】
一方、複数の感温変色フィルム８０を具備する段階（Ｓ２００）では、感温変色フィルム８０が、熱に感応して変色される機能を有し、また、このような状態で、一時接着及び永久接着が可能になって、台紙７７と同一の形状及び大きさに切り取られるようにする。
【００３７】
図３は複数の感温変色フィルム８０を具備する段階（Ｓ２００）についての詳細構成を示す部分工程図で、感温変色フィルム８０は、透明な接着剤８２をコートする段階（Ｓ２１０）と、他の保護紙７８を一時付着し、反転された状態で移送させる段階（Ｓ２２０）と、油性マイクロカプセルインク８６を塗布積層する段階（Ｓ２３０）と、その積層物全体を台紙７７と同一の形状及び大きさに切り取る段階（Ｓ２５０）とによって製造される。
【００３８】
すなわち、段階（Ｓ２１０）で、透明合成樹脂フィルム８４の一面に透明な接着剤８２をコートし、次の段階（Ｓ２２０）で、透明合成樹脂フィルム８４の一面のコーティング面に他の保護紙７８を一時付着し、反転された状態で移送させ、その次の段階（Ｓ２３０）では、反転移送される透明合成樹脂フィルム８４の他面に油性マイクロカプセルインク８６を塗布積層することになる。
【００３９】
また、その次の段階（Ｓ２５０）では、前記のように、保護紙７８との一時付着が可能である接着剤８２がコートされるとともに、油性マイクロカプセルインク８６が塗布積層された透明合成樹脂フィルム８４を連続して移送させながら台紙７７と同一の形状及び大きさに切り取る工程が行われる。
【００４０】
さらに、感温変色フィルム８０を具備する段階（Ｓ２００）についての他の詳細構成を示す部分工程図である図４に図示のように、上記の段階（Ｓ２００）は、接着剤８２をコートする段階（Ｓ２１０）と、接着剤８２に他の保護紙７８を一時付着して反転された状態で移送させる段階（Ｓ２２０）と、水性マイクロカプセルインク８７を塗布積層する段階（Ｓ２３５）と、透明樹脂８８を積層する段階（Ｓ２４０）と、上記のような積層物全体を台紙７７と同一の形状及び大きさに切り取る段階（Ｓ２５０）とを含んでなることもできる。
【００４１】
すなわち、上記の段階（Ｓ２１０）では、透明合成樹脂フィルム８４の一面に透明な接着剤８２をコートし、次の段階（Ｓ２２０）では、透明合成樹脂フィルム８４一面のコーティング面に他の保護紙７８を一時付着し、反転された状態で移送させる工程が行われる。
【００４２】
また、その次の段階（Ｓ２３５）では、反転状態で移送される透明合成樹脂フィルム８４の他面に水性マイクロカプセルインク８７を塗布積層する工程が行われ、次の段階（Ｓ２４０）では、上記のように、透明合成樹脂フィルム８４の他面に積層された水性マイクロカプセルインク８７に透明樹脂８８を積層することになる。
【００４３】
さらに、上記のように、保護紙７８との一時付着が可能な接着剤８２がコートされ、さらに、水性マイクロカプセルインク８６と透明樹脂８８が塗布積層された透明合成樹脂フィルム８４を連続して移送させながら台紙７７と同一の形状及び大きさに切り取る段階（Ｓ２５０）が連続して実行される。
【００４４】
上記のような段階（Ｓ２００）の実行が完了した後には、買い手の任意によって祝いメッセージの文字または絵を台紙７７に記載するか描く段階（Ｓ３００）と、上記段階（Ｓ３００）で得られた台紙７７をその保護紙７４から剥離し、メッセージ板４０の一面に付着させる段階（Ｓ４００）が連続して実行されるものであり、最終段階（Ｓ５００）で、感温変色フィルム８０をその保護紙７８から剥離し、上記段階でメッセージ板４０の一面に付着された台紙７７上に被せて付着する工程が行われる。
【００４５】
また、台紙７７をその保護紙７４から剥離してメッセージ板４０の一面に付着させる上記段階（Ｓ４００）の実行後、他の台紙７７をその保護紙７４から剥離してメッセージ板４０の他面に付着させる段階（Ｓ４１０）がさらに実行されることができる。
【００４６】
また、感温変色フィルム８０をその保護紙７８から剥離してメッセージ板４０一面の台紙７７に被せて付着する上記段階（Ｓ５００）の実行後、他の感温変色フィルムをその保護紙７８から剥離してメッセージ板４０の他面の台紙７７に付着させる段階（Ｓ５１０）がさらに実行されることができる。
【００４７】
上記のような方法の具現によって、図２〜図１２のように、原紙層７６と、接着剤層７２と、透明な他の接着剤層８２と、透明合成樹脂フィルム層８４と、油性マイクロカプセルインク層８６とを含んで構成されたケーキ装飾用品を得ることができることになる。
【００４８】
すなわち、原紙層７６は、水性または油性の筆記具または絵の具、蛍光色の筆記具または絵の具で記載するか描くことができ、彩色も可能であるように、少なくとも一側面がコートされていないものが具備され、このような原紙層７６の一側面に接着剤層７２が塗布積層されることで、原紙層７６と接着剤層７２からなる複数枚の台紙７７が具備されることになる。
【００４９】
また、上記のように、接着剤層７２に保護紙層７４を一時付着した状態で具備することにより、原紙層７６と接着剤層７２からなる複数枚の台紙７７を、必要に応じて、その保護紙層７４から易しく剥離することができることになる。
【００５０】
一方、買い手によって、台紙７７の原紙層７６には買い手個人の趣向に応じて祝いメッセージの特別な文字及び図形などを記載し描いて入れるかまたは彩色も可能であり、このように、祝いメッセージで飾られた台紙７７上に感温変色フィルム８０を重ねてなるものである。
【００５１】
上記のような感温変色フィルム８０は、祝いメッセージが記載された後、その保護紙７４層から剥離され、メッセージ板４０の片面または両面に付着された台紙７７上に付着積層される透明な他の接着剤層８２を含む構成からなっている。
【００５２】
他の接着剤層８２は透明合成樹脂フィルム層８４の一側面に塗布積層され、透明合成樹脂フィルム層８４の他面には油性マイクロカプセルインク層８６が塗布積層される。
【００５３】
したがって、図７に示すように、メッセージ板４０に、接着剤層７２、原紙層７６、他の接着剤層８２、透明合成樹脂フィルム層８４、油性マイクロカプセルインク層８６などが最終的に積層されるものである。
【００５４】
また、図８のように、透明合成樹脂フィルム層８４の他面に水性マイクロカプセルインク層８７を塗布積層し、水性マイクロカプセルインク層８７に透明樹脂層８８をさらに積層して構成されることもできる。
【００５５】
以下、本発明のいくつかの実施例をその構成及び作用に基づいて詳細に説明する。
【００５６】
図５は本発明のケーキ装飾用品の第１実施例構成を示す斜視図、図６は第１実施例の側面図である。
【００５７】
図示のように、ベース３０、加熱手段、ケーキ装飾用品を構成するが、上記のように製造された台紙７７をメッセージ板４０の一面に付着し、他の保護紙７４に一時的に付着して準備した感温変色フィルム８０を他の保護紙７４から剥離した後、台紙７７に付着することで、ディスプレイ手段を製造する。
【００５８】
すなわち、メッセージ板４０はベース３０と直交状態に結合して具備されるものであり、ベース３０は、その底面に支持ピン３１が延設されているので、その全体をケーキ１０上に容易で安定的に設置することができる。
【００５９】
また、加熱手段は複数のキャンドル６５及び燭台６０からなるもので、メッセージ板４０の感温変色フィルム８０の付着面側に互いに等間隔で離隔するように、一列に配置固定されるように構成される。
【００６０】
図９は本発明のケーキ装飾用品の第２実施例の構成を示す斜視図で、図示のように、ベース３０の両側位置に結合ホール３２ａ、３２ｂが形成されているので、その上面に位置変更可能な状態にメッセージ板４０が着脱可能になっている。
【００６１】
すなわち、上記のように、ベース３０と着脱可能に具備されるメッセージ板４０の一面に、上記のように製造された台紙７７を付着し、感温変色フィルム８０を台紙７７に重畳付着してディスプレイ手段を構成することになる。
【００６２】
一方、ベース３０は、その底面に支持ピン３１が延設された上記の構成と同様であり、加熱手段も複数のキャンドル６５及び燭台６０からなる上記構成と同様である。
【００６３】
このような第２実施例は、ベース３０の一直線上の結合ホール３２ａにメッセージ板４０の結合突起４１が結合されるようにすることにより、冬季に加熱手段からメッセージ板４０側への熱伝逹が速かになされるようにするとともに、他の直線上の結合ホール３２ｂにメッセージ板４０の結合突起４１が結合されるようにすることにより、夏季に加熱手段からメッセージ板４０側への熱伝逹が遅くなされるようにする特性が発揮される。
【００６４】
図１０は本発明によるケーキ装飾用品の第３実施例の構成を示す斜視図、図１１は図１０の一側面図である。図示のように、この実施例は、ベース３０をより大きな面積の物で形成し、その上面中央の位置にメッセージ板４０を固定設置し、メッセージ板４０の両側面に上記のような台紙７７及び感温変色フィルム８０を付着して製造することができる。
【００６５】
図１２は本発明によるケーキ装飾用品の第４実施例の構成及び使用状態を示す斜視図で、上記のような台紙７７及び感温変色フィルム８０を持つ別途のメッセージ板４０を具備し、支持ピンをケーキ１０に突き刺して立て、メッセージ板４０の台紙７７及び感温変色フィルム８０の周辺にケーキ１０に突き刺して立てた別途のキャンドル１１の燃焼熱によって感温変色フィルム８０を透明に変色させることになるものである。
【００６６】
このように構成された本発明の作用及び効果を詳細に説明すれば次のとおりである。
【００６７】
通常、誕生日祝いまたは結婚祝い行事の準備の際に、ケーキ上にキャンドルを突き刺すことになる。この時、本発明のケーキ装飾用品を、図５、図９、図１０及び図１２のように、ケーキ１０の上面にキャンドル６５、１１とともに設置する。
【００６８】
すなわち、ベース３０の底面に形成された支持ピン３１を利用してケーキ１０上に突き刺した後、キャンドル６５またはケーキ１０に突き刺されたキャンドル１１に火を付ければ、キャンドル６５が燃えながらメッセージ板４０に付着された感温変色フィルム８０側に熱を伝導するので、感温変色フィルム８０によって隠されたメッセージが表出される。
【００６９】
感温変色フィルム８０は、感温変色の機能がある感温色素を含むマイクロカプセルを油性インクと混合し、透明合成樹脂フィルム層８４に塗布して製造したもので、マイクロカプセル（Thermocromic  Microcapsule）に含まれた感温色素の特性（温度が一定温度以上に上がれば、特定の色相が他の色相、無色または背景色に変わり、また一定温度以下に下がれば、元々の色相に戻る特性）によって、加熱の際に透明に変色される。
【００７０】
したがって、隠されたメッセージが表示されれば、祝い行事会場の雰囲気は一層高まり、特に、祝い行事の主人公は、熱伝導が進むにしたがって徐々に現われるメッセージを見て感動することになる。
【００７１】
さらに、祝歌を歌うとか祝いメッセージを朗読するなど、雰囲気が頂点に至った時点で、隠されたメッセージが表出されるので、会場の雰囲気を一層高めてより意味深い祝い行事を演出することができることはもちろん、参席者と主人公に神秘感と好感を持たせて祝い行事にもっと集中するようにする役目をすることになる。
【００７２】
特に、本発明のケーキ装飾用品は、水性または油性の筆記具、絵の具、蛍光色の筆記具、絵の具などで買い手が直接任意の祝いメッセージを台紙７７に記載した後、これに感温変色フィルム８０を重畳して付着することができるので、自分だけの独特なケーキ装飾を要求する近来の趨勢に対応することができることになる。
【００７３】
さらに、メッセージ板４０の両面に台紙７７及び感温変色フィルム８０を付着した場合、メッセージ板４０の両面でのメッセージ表出が同時になされるから、ケーキ１０に突き刺されたメッセージ板４０の両面側で祝いメッセージを同時多発的に観望することができるので、本発明の固有の効果を倍加させることができる。
【００７４】
上記のような複数の実施例は本発明の好適な例を説明したものに過ぎないもので、本発明の適用範囲はこのような本発明の範疇内で適切に変更可能なものであう。例えば、メッセージボード４０の形状及び模様は誕生日または結婚式などの行事内容などによって多様に変更可能なものである。
【００７５】
すなわち、メッセージ板４０の形状と模様を本発明ではハート形状にだけしたが、祝い行事の性格に応じて多様な形態に製作して祝い行事の雰囲気を一層高めることができ、また製造会社の広告などを挿入して製品の広報手段として活用することもができるものである。
【産業上の利用可能性】
【００７６】
以上のように、本発明のケーキ装飾用品は、加熱手段を成すキャンドルの燃焼熱が伝導されることによって、転写紙に隠されたメッセージが表示されるので、より神秘で幻想的な行事の演出とともに行事会場の雰囲気を一層高めてもっと意味深い祝い行事を演出することになり、行事会場に参加した参席者と主人公に神秘感と好感を持たせて祝い行事にさらに集中するようにする役目をする有用な効果がある。
【００７７】
また、本発明は、別途の付着が可能な台紙及び感温変色フィルムを持つ構造であるので、先に台紙に水性または油性の筆記具または絵の具、蛍光色の筆記具または絵の具などで買い手が直接任意の祝いメッセージを記載した後、この台紙に感温変色フィルムを重畳して付着してなるので、買い手それぞれの独特のメッセージの表現が可能であり、よって、自分だけのケーキ装飾を要求する近来の趨勢に対応することができる効果を提供する。
【００７８】
特に、本発明は、メッセージ板の両面でのメッセージ表出を同時になすことができるので、上記のような効果を倍加させることができる効果を提供する。
【００７９】
また、本発明のケーキ用装飾用品は、多様な形状と模様のメッセージ板などを具備して、より派手で多様な行事を演出することができるとともに、メッセージ板に広告文句、ロゴなどを挿入して製品の広報手段として活用することができる有用な効果があるものである。
【００８０】
以上本発明の好適な実施例を例示の目的で説明したが、当業者であれば、添付する特許請求の範囲に記載されたような本の精神及び範囲から逸脱することなしに、多様な変形、付加及び代替が可能であろう。
【図面の簡単な説明】
【００８１】
【図１】本発明の方法の構成を概略的に示すブロック図である。
【図２】本発明の方法の台紙を具備する段階についての詳細構成を示す部分工程図である。
【図３】本発明の方法の感温変色フィルムを具備する段階についての詳細構成を示す部分工程図である。
【図４】本発明の方法の感温変色フィルムを具備する段階についいての他の詳細構成を示す部分工程図である。
【図５】本発明の方法によって製造されたケーキ装飾用品の第１実施例の構成を示す斜視図である。
【図６】本発明の方法によって製造されたケーキ装飾用品の第１実施例の一側面図である。
【図７】本発明の方法によって製造されたケーキ装飾用品に適用される台紙と感温変色フィルムの積層構造を示す概略部分断面図である。
【図８】本発明の方法によって製造されたケーキ装飾用品に適用される台紙と他の感温変色フィルムの積層構造を示す概略部分断面図である。
【図９】本発明の方法によって製造された他のケーキ装飾用品の第２実施例の構成を示す斜視図である。
【図１０】本発明の方法によって製造されたケーキ装飾用品の第３実施例の構成を示す斜視図である。
【図１１】図１０の一側面図である。
【図１２】本発明の方法によって製造されたケーキ装飾用品の第４実施例の構成及び使用状態を示す斜視図である。
【図１】
2008500916.tif 000003
【図２】
2008500916.tif 000004
【図３】
2008500916.tif 000005
【図４】
2008500916.tif 000006
【図５】
2008500916.tif 000007
【図６】
2008500916.tif 000008
【図７】
2008500916.tif 000009
【図８】
2008500916.tif 000010
【図９】
2008500916.tif 000011
【図１０】
2008500916.tif 000012
【図１１】
2008500916.tif 000013
【図１２】
2008500916.tif 000014
【国際調査報告】
2008500916.tif 000015
2008500916.tif 000016